(57)【要約】  【課題】  洗濯機などの機器に組み込まれていても、金属電極を容易に効率良く洗浄できる金属イオン溶出ユニット、及びこれを備えた機器の提供。  【解決手段】  電極ケース１内に、金属イオンを溶出する金属電極２を収納する。電極ケース１の側壁には、液体を外部から内部へ流入するための流入口３と、液体を内部から外部へ流出するための流出口４とが形成されている。流入口３と流出口４とには、流入口３、流出口４夫々を開閉するための流入口開閉部材５と流出口開閉部材６とが設けられている。流入口３から流入した液体に、金属電極２から溶出した金属イオンを付与し、金属イオンが付与された液体を流出口４から流出する。流出口開閉部材６を閉じた後、空気孔８を開けて電極ケース１内に存在する空気を抜き、流入口開閉部材５を開けて流入口３からスケール除去剤を電極ケース１内に流し入れて貯留させ、スケール除去剤で金属電極２に付着したスケールを除去する。【選択図】      図１
2006095497.tif 000002
【特許請求の範囲】
【請求項１】
金属イオンを溶出する金属電極と、該金属電極を収納し、液体を流入するための流入口及び液体を流出するための流出口を有するケースとを備えており、前記流入口から流入した液体に前記金属電極から溶出した金属イオンを付与し、金属イオンを付与した液体を前記流出口から流出する金属イオン溶出ユニットであって、
前記流入口を開閉する流入口開閉手段、及び／または、前記流出口を開閉する流出口開閉手段を備えることを特徴とする金属イオン溶出ユニット。
【請求項２】
前記流出口の底面の高さは前記ケースの底面の高さ以下であることを特徴とする請求項１に記載の金属イオン溶出ユニット。
【請求項３】
前記流入口の底面の高さは前記金属電極の高さより高いことを特徴とする請求項１または２に記載の金属イオン溶出ユニット。
【請求項４】
前記流入口開閉手段及び／または流出口開閉手段を外部から制御する制御手段を備えることを特徴とする請求項１乃至３のいずれかひとつに記載の金属イオン溶出ユニット。
【請求項５】
前記ケースの内部及び外部を連通する開口部を設けてあることを特徴とする請求項１乃至４のいずれかひとつに記載の金属イオン溶出ユニット。
【請求項６】
前記開口部を開閉する開口部開閉手段を備えることを特徴とする請求項５に記載の金属イオン溶出ユニット。
【請求項７】
前記流入口開閉手段及び／または流出口開閉手段と前記開口部開閉手段とが連動することを特徴とする請求項６に記載の金属イオン溶出ユニット。
【請求項８】
金属イオンを溶出する金属電極と、該金属電極を収納し、液体を流入／流出するための開口部を有するケースとを備えており、液体に前記金属電極から溶出した金属イオンを付与する金属イオン溶出ユニットであって、
前記金属電極全体を浸漬できるように液体を貯留する液体貯留部を備えることを特徴とする金属イオン溶出ユニット。
【請求項９】
請求項１乃至８のいずれかひとつに記載の金属イオン溶出ユニットを備えることを特徴とする機器。
【発明の詳細な説明】
【技術分野】
【０００１】
本発明は、金属電極から金属イオンを液体に溶出させる金属イオン溶出ユニット、及びこれを備えた洗濯機などの機器に関する。
【背景技術】
【０００２】
金属電極に電圧を印加して金属電極から金属イオンを溶出させる技術が、種々の電化機器に適用されている。このような金属イオン溶出ユニットを搭載する電化機器としては、洗濯機が代表である（例えば、特許文献１，２参照）。この種の洗濯機では、銀，銅などの金属電極を有して、金属電極に電圧を印加することにより、殺菌力がある銀イオン，銅イオンなどを洗浄水に与えている。また、本発明に関連する技術として、イオン水生成装置における電極の洗浄手法が提案されている（例えば、特許文献３，４参照）。
【特許文献１】特開２００３−２９０５９４号公報
【特許文献２】特開２００４−１６６９２１号公報
【特許文献３】特開２００２−１８４４２号公報
【特許文献４】特開平６−１６５９８５号公報
【発明の開示】
【発明が解決しようとする課題】
【０００３】
金属イオン溶出ユニットにあって金属電極の使用が長期にわたった場合、供給される液体中にカルシウム、マグネシウム、その他硬度成分が含まれている場合、炭酸カルシウム，水酸化カルシウムなど、または金属電極の材料に由来した塩化物，硫化物などが、スケールとなって電極表面に付着する。この結果、金属イオンの溶出能力が低下してしまうという問題があるため、付着したスケールを除去するために金属電極の洗浄を行う必要がある。
【０００４】
金属電極へのスケール付着対策として、金属電極間への通電極性の反転を用いた手法を用いることが多いが、スケール付着防止には有効な手法である一方、一旦付着してしまったスケールを完全に除去することは難しい。そこで、金属電極に付着したスケール除去作用がある塩酸などのスケール除去剤を金属電極に接触させてスケールを除去する手法が有効である。しかしながら、スケール除去剤を貯留できるような構造を持つ金属イオン溶出ユニットは考案されていない。
【０００５】
特許文献１，２に開示された金属イオン溶出ユニットは、洗濯機のような機器に組み込まれており、一旦組み込まれると水漏れ防止のため容易に取り外しができないような構造を有している。そのため、スケール除去のための金属電極の洗浄を容易に行えないという問題がある。
【０００６】
本発明は斯かる事情に鑑みてなされたものであり、洗濯機などの機器に組み込まれていても、金属電極を容易に洗浄してスケールを除去できる金属イオン溶出ユニット、及びこれを備えた機器を提供することを目的とする。
【０００７】
本発明の他の目的は、効率良く金属電極を洗浄できる金属イオン溶出ユニット、及びこれを備えた機器を提供することにある。
【課題を解決するための手段】
【０００８】
本発明に係る金属イオン溶出ユニットは、金属イオンを溶出する金属電極と、該金属電極を収納し、液体を流入するための流入口及び液体を流出するための流出口を有するケースとを備えており、前記流入口から流入した液体に前記金属電極から溶出した金属イオンを付与し、金属イオンを付与した液体を前記流出口から流出する金属イオン溶出ユニットであって、前記流入口を開閉する流入口開閉手段、及び／または、前記流出口を開閉する流出口開閉手段を備えることを特徴とする。
【０００９】
本発明の金属イオン溶出ユニットにあっては、流入口開閉手段及び／または流出口開閉手段によって、流入口及び／または流出口の開閉を制御するため、スケール除去剤をケース内に貯留させ、金属電極をスケール除去剤に浸漬して、金属電極に付着したスケールを除去する。よって、金属電極の洗浄は容易である。
【００１０】
本発明に係る金属イオン溶出ユニットにおいては、前記流出口の底面の高さは前記ケースの底面の高さ以下であることが好ましい。
【００１１】
この場合、流出口の底面をケースの底面と同じかそれより低く配置している。よって、ケース内に流入した液体は完全に外部に排出され、使用後にスケール除去剤はユニットから完全に排出され、内部に残存しない。
【００１２】
本発明に係る金属イオン溶出ユニットにおいては、前記流入口の底面の高さは前記金属電極の高さより高いことが好ましい。
【００１３】
この場合、流入口の底面を金属電極より高く配置している。よって、流入口から液体が逆流することがないため、流出口にのみ開閉手段を備えれば良く、部品点数が減少してコストは削減する。
【００１４】
本発明に係る金属イオン溶出ユニットにおいては、前記流入口開閉手段及び／または流出口開閉手段を外部から制御する制御手段を備えることが好ましい。
【００１５】
この場合、流入口開閉手段及び／または流出口開閉手段による開閉動作を、外部から制御手段にて制御する。よって、開閉手段を外部からの操作により制御できるため、ユニットが組み込まれている機器を分解する必要がなく、容易に流入口及び／または流出口の開閉を行える。
【００１６】
本発明に係る金属イオン溶出ユニットにおいては、前記ケースの内部及び外部を連通する開口部を設けてあることが好ましい。
【００１７】
この場合、ケースの内部及び外部を連通する開口部を介して、スケール除去剤を供給する。よって、スケール除去剤の使用量は金属電極が浸漬するために必要な最小限の量で済む。また、ユニットが組み込まれている機器を分解する必要がない。
【００１８】
本発明に係る金属イオン溶出ユニットにおいては、前記開口部を開閉する開口部開閉手段を備えることが好ましい。
【００１９】
この場合、開口部開閉手段にて開口部の開閉を制御する。よって、スケール除去剤供給用の開口部をスケール除去時以外は塞いで、ユニットから周辺の部品への液体の漏れまたは飛び散りを防止する。
【００２０】
本発明に係る金属イオン溶出ユニットにおいては、前記流入口開閉手段及び／または流出口開閉手段と前記開口部開閉手段とが連動することが好ましい。
【００２１】
この場合、流入口及び／または流出口と開口部とを連動して開閉する。よって、一度の操作で流入口及び／または流出口と開口部とを開閉でき、操作が簡単になるとともに、ユーザの開閉し忘れがなくなる。
【００２２】
本発明に係る金属イオン溶出ユニットは、金属イオンを溶出する金属電極と、該金属電極を収納し、液体を流入／流出するための開口部を有するケースとを備えており、液体に前記金属電極から溶出した金属イオンを付与する金属イオン溶出ユニットであって、前記金属電極全体を浸漬できるように液体を貯留する液体貯留部を備えることを特徴とする。      
【００２３】
本発明の金属イオン溶出ユニットにあっては、金属電極全体を浸漬できるように液体を貯留する液体貯留部を備えている。よって、液体貯留部内にスケール除去剤を貯留することにより、電極を浸漬させてスケールの除去を容易に行う。
【００２４】
本発明に係る機器は、上述したような構成の金属イオン溶出ユニットを備えることを特徴とする。
【００２５】
本発明の機器にあっては、上述したような構成の金属イオン溶出ユニットを備えている。よって、例えば、洗濯機を例とした場合、スケール除去を容易に行えて、金属イオンによる殺菌効果が高い殺菌水を確実に生成し、洗濯物をより清潔に洗うことができる。
【発明の効果】
【００２６】
本発明の金属イオン溶出ユニットでは、液体を流入するための流入口を開閉する流入口開閉手段、及び／または、液体を流出するための流出口を開閉する流出口開閉手段を備えるようにしたので、ケース内に貯留したスケール除去剤に金属電極を浸漬させてスケールを除去することができ、金属電極の洗浄を容易に行うことができる。
【００２７】
流出口の底面の高さをケースの底面の高さ以下とするようにした場合には、ケース内に流入した液体を完全に外部に排出でき、使用後にスケール除去剤をユニットから完全に排出することができる。
【００２８】
流入口の底面の高さを金属電極の高さより高くするようにした場合には、流出口開閉手段のみを設ければ良く、部品点数を減少できて、コストの削減を図ることができる。
【００２９】
流入口開閉手段及び／または流出口開閉手段を外部から制御する制御手段を備えるようにした場合には、流入口開閉手段及び／または流出口開閉手段の動作を外部から制御できるため、ユニットが組み込まれている機器を分解することなく容易に流入口及び／または流出口の開閉を行うことができる。
【００３０】
ケースの内部及び外部を連通する開口部を設けるようにした場合には、開口部を介してスケール除去剤を供給するため、スケール除去剤の使用量を金属電極が浸漬するために必要な最小限の量で済ませることができ、またユニットが組み込まれている機器を分解する必要もない。
【００３１】
スケール除去剤供給用の開口部を開閉する開口部開閉手段を備えるようにした場合には、開口部開閉手段にて開口部の開閉を制御して、開口部をスケール除去時以外は塞ぎ、ユニットから周辺の部品への液体の漏れまたは飛び散りを防止することができる。
【００３２】
流入口及び／または流出口と開口部とを連動して開閉するようにした場合には、一度の操作で流入口及び／または流出口と開口部とを開閉でき、操作が簡単になるとともに、ユーザの開閉し忘れをなくすことができる。
【００３３】
本発明の金属イオン溶出ユニットでは、金属電極全体を浸漬できるように液体を貯留する液体貯留部を備えるようにしたので、液体貯留部内に貯留したスケール除去剤に電極を浸漬させてスケールの除去を容易に行うことができる。
【００３４】
本発明の機器では、上述したような構成の金属イオン溶出ユニットを備えているので、例えば、洗濯機にあっては、スケール除去を容易に行えて、金属イオンによる殺菌効果が高い殺菌水を確実に生成し、洗濯物をより清潔に洗うことができる。
【発明を実施するための最良の形態】
【００３５】
以下、本発明をその実施の形態を示す図面を参照して具体的に説明する。
【００３６】
（実施の形態１）
図１は、本発明の実施の形態１に係る金属イオン溶出ユニット１０の構成を示す縦断面図、図２はその横断面図である。図中１は、内部に金属電極２を収納する電極ケースである。電極ケース１は、金属電極２の保護用、及び液体の貯留用として用いられる。電極ケース１の側壁には、液体を外部から内部へ流入するための流入口３と、液体を内部から外部へ流出するための流出口４とが形成されている。流入口３と流出口４とには、流入口３、流出口４それぞれを開閉するための流入口開閉部材５（流入口開閉手段）と流出口開閉部材６（流出口開閉手段）とが設けられている。金属電極２には、金属イオンを溶出するために金属電極２に電圧を印加し、電気的に制御する外部の制御部（図示せず）に接続する端子７が取り付けられている。電極ケース１の上壁には、２箇所に空気孔８が形成されている。
【００３７】
金属電極２は、電極間に液体が存在するとき、電極間に電圧を印加し、電流を流すことによって金属イオンが溶出する。例えば、金属電極２は、抗菌性を有する金属イオンのもとになる金属であれば良く、具体的には、銀、銅、銀と銅との合金、亜鉛などが選択可能である。銀電極から溶出する銀イオン、銅電極から溶出する銅イオン、または亜鉛電極から溶出する亜鉛イオンは、優れた殺菌効果及び防カビ効果を発揮する。銀と銅との合金からは銀イオンと銅イオンとを同時に溶出させることができる。陽極が金属イオンを溶出する電極で、陰極が金属イオンを溶出しない電極であっても良い。電極形態が２枚以上（複数）の電極から構成される場合は、すべて同じ材質の金属電極であっても良いし、いずれかが金属電極で、他の電極が非金属電極（例えば、貴金属（チタン，白金，金など）メッキの電極、炭素電極、導電性プラスチックなど）であっても良い。
【００３８】
金属電極２から溶出した金属イオンは、流入口３から流入した液体に電極ケース１内で付与され、金属イオンが付与された液体が流出口４から流出されるようになっている。流入口３に設けられた流入口開閉部材５と、流出口４に設けられた流出口開閉部材６とは、液体の流れを遮る機能を果たす。通常は、流入口開閉部材５及び流出口開閉部材６は開いた状態で保たれており、金属イオン溶出ユニット１０内に液体を流し入れることが可能で、金属電極２から溶出した金属イオンが付与された後に、液体が流出口４から外部へ排出できる状態にある。これらの流入口開閉部材５及び流出口開閉部材６は、弁、バルブ、ねじ、遮断板など、またはこれらを組み合わせた部材が考えられる。もちろん、液体の流れを制御するものであれば、既知の部品（例えば、電磁弁など）を用いても構わない。
【００３９】
金属イオン溶出ユニット１０を使用しないときに電極ケース１内に液体が残らないよう、流出口４の底面を、電極ケース１の底面と同じ高さまたはそれより低く配置している。このような配置により、液体が電極ケース１内に残らず、電極ケース１内が乾燥するので、スケール除去剤を使用した後に除去剤を金属イオン溶出ユニット１０外に排出することもでき、除去剤への過剰な浸漬による電極、およびケースの脆化を防ぐことができる。また、この構造によれば、細菌の繁殖によるぬめりなどが発生しにくくなる。
【００４０】
空気孔８は、スケール除去剤を電極ケース１内に流入して貯留する際に電極ケース１内の空気を抜くために開けられる。なお、この例では２個の空気孔８を形成しているが、１個または３個以上であっても良い。スケール除去のとき以外、つまり普段使用するときは、金属イオン溶出ユニット１０内に流入する液体が空気孔８から飛び散って周辺の部品を濡らしたりしないように、空気孔８の径は数ミリ程度が望ましい。
【００４１】
次に、このような構成の金属イオン溶出ユニット１０における動作について説明する。流入口３を介して液体、例えば水を金属イオン溶出ユニット１０（電極ケース１）内に流入する。流入された水は、金属電極２から溶出した銀イオン、銅イオンなどの金属イオンが付与される。金属イオンが付与された水が、流出口４を介して金属イオン溶出ユニット１０（電極ケース１）外に排出され、殺菌水、防カビ水が得られる。流出口４の底面を電極ケース１の底面と同じ高さまたはそれより低く配置しているため、金属イオン溶出ユニット１０の使用後は液体が電極ケース１内に残らず、電極ケース１内が乾燥するので、スケール除去剤を使用した後に除去剤を金属イオン溶出ユニット１０外に排出することもでき、除去剤への過剰な浸漬による電極、およびケースの脆化を防ぐことができる。また、この構造によれば、細菌の繁殖によるぬめりなどが発生しにくくなる。
【００４２】
金属電極２に付着したスケールを除去する処理は、以下のようにして行う。流出口開閉部材６を閉じる。次いで、流入口開閉部材５を開けて流入口３からスケール除去剤を金属イオン溶出ユニット１０（電極ケース１）内に流入して貯留させる。このとき空気孔８などから電極ケース１内の空気が抜けていく。そして、貯留させたスケール除去剤で金属電極２を洗浄して、付着したスケールを除去する。スケール除去剤は、通常液体（例えば水）を金属イオン溶出ユニット１０内に流入するときに使用する経路、例えば金属イオン溶出ユニット１０が組み込まれている機器が洗濯機の場合、給水口から流入しても良い。流出口４の底面を電極ケース１の底面と同じ高さまたはそれより低く配置しているため、使用した後にスケール除去剤を金属イオン溶出ユニット１０外に完全に排出することが可能である。スケール除去剤を多く入れると空気孔８からスケール除去剤が漏れる可能性があるため、使用するスケール除去剤の量を電極ケース１の容積に対応するように予め決めておくことが好ましい。なお、空気孔８は設けなくても構わない。なぜなら、液体を注入する際に、液体が流れ込む流入口３からも電極ケース１内の空気が抜けていくからである。      
【００４３】
（実施の形態２）
図３は、本発明の実施の形態２に係る金属イオン溶出ユニット１０の構成を示す縦断面図である。図３において、図１と同一部分には同一番号を付してそれらの説明は省略する。図３に示す実施の形態２では、流出口４にのみ流出口開閉部材６が設けられており、流入口３には開閉部材が設けられていない。
【００４４】
流入口３の底面は、電極ケース１内に収納されている金属電極２の一番高い部分よりも高い位置に設置されている。この構造によれば、電極ケース１内の液体が流入口３へ逆流することがないため、金属電極２を完全に浸漬させるための開閉部材を流入口３側に設けることが必ずしも必要でなく、開閉部材は流出口４側のみに設置すれば良い。よって、金属イオン溶出ユニット１０に必要とする部品の数が減り、コスト削減につながる。なお、空気孔８は設けなくても構わない。なぜなら、液体を注入する際に、液体が流れ込む流入口３からも電極ケース１内の空気が抜けていくからである。
【００４５】
（実施の形態３）
図４は、本発明の実施の形態３に係る金属イオン溶出ユニット１０の構成を示す縦断面図である。図４において、図１と同一部分には同一番号を付してそれらの説明は省略する。図４に示す実施の形態３では、流入口３にのみ流入口開閉部材５が設けられており、流出口４には開閉部材が設けられていない。実施の形態３にあっても、部品点数が少なく、コストの低減化を図れる。この場合、スケール除去剤は流出口４から流入しても良い。
【００４６】
なお、図示は省略するが、実施の形態１，３において、実施の形態２のように、金属電極２の一番高い部分よりも高い位置に流入口３の底面を設置するように構成しても良いことは勿論である。
【００４７】
（実施の形態４）
金属イオン溶出ユニットは、機器内に組み込まれていることが一般的であり、このような場合、スケール除去を行う際には、開閉部材を操作するために機器をある程度分解する必要がある。しかし、一般家庭において分解する場合には、再度組み立てる際に水密性（密閉性）が失われてしまうと、水漏れなどが生じる懸念がある。図５は、本発明の実施の形態４に係る金属イオン溶出ユニット１０の構成を示す縦断面図である。図５では、洗濯機などの機器に付随するカバー１１で金属イオン溶出ユニット１０が覆われている。なお、図５において、図１と同一部分には同一番号を付してそれらの説明は省略する。
【００４８】
このように金属イオン溶出ユニット１０がカバー１１に覆われている場合、ユーザの操作性を向上させるために、また、水漏れなどの懸念を解消するために、カバー１１の外部から流入口開閉部材５及び／または流出口開閉部材６の開閉動作を行えることが好ましい。図５に示す実施の形態４では、カバー１１の外部に、流入口開閉部材５、流出口開閉部材６それぞれの開閉動作を操作する流入口開閉操作部１２、流出口開閉操作部１３を備えている。
【００４９】
このような構造によれば、ユーザは、カバー１１の外部から流入口開閉操作部１２及び／または流出口開閉操作部１３を直接操作することにより、流入口開閉部材５及び／または流出口開閉部材６の開閉動作、即ち流入口３及び／または流出口４の開閉を制御できる。よって、金属イオン溶出ユニット１０が機器に組み込まれている場合であっても、機器を分解する必要がなく、流入口３及び／または流出口４の開閉を容易に制御できるため、ユーザの操作性は向上する。なお、流入口開閉部材５及び流出口開閉部材６が電磁弁などで構成され、電気的制御を必要とするのであれば、カバー１１外部に開閉のためのスイッチを設けても良い。
【００５０】
図６は、実施の形態４に係る金属イオン溶出ユニット１０の変形例の構成を示す縦断面図であり、図６における図５と同一部分には同一番号を付している。図６に示す例は、上述した実施の形態２の如く、金属電極２の一番高い部分よりも高い位置に流入口３の底面を設置して、流入口３側に開閉部材を設けないものである。よって、図５のような流入口開閉操作部１２は設けられず、流出口開閉操作部１３のみを設けている。部材点数を少なくして、低コスト化を図れる。
【００５１】
（実施の形態５）
図７は、本発明の実施の形態５に係る金属イオン溶出ユニット１０の構成を示す縦断面図である。図７において、図１と同一部分には同一番号を付してそれらの説明は省略する。図７に示す実施の形態５では、電極ケース１の上壁にその内部及び外部を連通する態様で、スケール除去剤を供給するための開口部１４を形成している。
【００５２】
そして、金属電極２に付着したスケールを取り除く際に、この開口部１４を介して金属イオン溶出ユニット１０（電極ケース１）内に、直接スケール除去剤を注入する。この場合、流入口３及び流出口４の両方に開閉部材（流入口開閉部材５及び流出口開閉部材６）を設け、スケール除去剤を開口部１４から注入するときは、流入口開閉部材５及び流出口開閉部材６を何れも閉じて、スケール除去剤を貯留する。このような構造によれば、スケール除去剤は金属イオン溶出ユニット１０（電極ケース１）内に貯留できる最小の量で済み、スケール除去後の廃液が少なくなるので環境にも配慮できる。
【００５３】
なお、図７に示す例では、一つの開口部１４を設けているが、複数の開口部１４を電極ケース１の上壁に形成するようにしても良い。スケール除去を行わないときは、他の部品への水漏れまたは水はねを防止するために、開口部１４を開閉するための開閉部材、例えば栓（図示せず）を設けることが好ましい。
【００５４】
図８は、実施の形態５に係る金属イオン溶出ユニット１０の変形例の構成を示す縦断面図であり、図８における図７と同一部分には同一番号を付している。図８に示す例は、上述した実施の形態２の如く、金属電極２の一番高い部分よりも高い位置に流入口３の底面を設置して、流入口３側に開閉部材を設けないものである。部材点数を少なくして、低コスト化を図れる。
【００５５】
（実施の形態６）
図９は、本発明の実施の形態６に係る金属イオン溶出ユニット１０の構成を示す縦断面図である。図９において、図７と同一部分には同一番号を付してそれらの説明は省略する。図９に示す実施の形態６では、開放されている電極ケース１の上部を蓋１５で覆って、蓋１５の開閉により電極ケース１の天井部分にスケール除去剤供給用の開口部１４を設けるようにしている。この例でも、実施の形態５と同様の効果を奏する。
【００５６】
図１０は、実施の形態６に係る金属イオン溶出ユニット１０の変形例の構成を示す縦断面図であり、図１０における図９と同一部分には同一番号を付している。図１０に示す例は、上述した実施の形態２の如く、金属電極２の一番高い部分よりも高い位置に流入口３の底面を設置して、流入口３側に開閉部材を設けないものである。部材点数を少なくして、低コスト化を図れる。
【００５７】
（実施の形態７）
図１１は、本発明の実施の形態７に係る金属イオン溶出ユニット１０の構成を示す縦断面図である。図１１において、図１，図５，図７と同一部分には同一番号を付してそれらの説明は省略する。実施の形態７は、実施の形態４（図５）と同様に、金属イオン溶出ユニット１０が洗濯機などの機器に組み込まれ、機器に付随するカバー１１で金属イオン溶出ユニット１０が覆われている。
【００５８】
カバー１１に、スケール除去剤を供給するための開口部１４を形成しており、開口部１４から電極ケース１に通じる連通管１６を設けている。金属電極２に付着したスケールを取り除く際に、この開口部１４及び連通管１６を介して金属イオン溶出ユニット１０（電極ケース１）内に、直接スケール除去剤を注入する。
【００５９】
実施の形態７では、機器を分解する必要がなく、また液体の流入口３及び流出口４を利用してスケール除去剤を流入させる必要がなく、カバー１１の外部から、流入口３及び流出口４の開閉を操作して、簡単にスケール除去剤を電極ケース１内に貯留することができる。
【００６０】
図１２は、実施の形態７に係る金属イオン溶出ユニット１０の変形例の構成を示す縦断面図であり、図１２における図１１と同一部分には同一番号を付している。図１２に示す例は、上述した実施の形態２の如く、金属電極２の一番高い部分よりも高い位置に流入口３の底面を設置して、流入口３側に開閉部材、開閉操作部を設けないものである。部材点数を少なくして、低コスト化を図れる。
【００６１】
実施の形態７において、流入口開閉部材５及び／または流出口開閉部材６と開口部１４とを連動して動作させるようにしても良い。例えば、開閉部材５，６と開口部１４との操作部を一箇所にし、その一箇所を操作することにより、開閉部材５，６が閉じれば開口部１４が開くといった構造にしても良い。例えば、開閉部材５，６と開口部１４とが電磁弁で構成されている場合、「ユニット洗浄用ボタン」を押すと、開閉部材５，６の電磁弁が閉じ、開口部１４の電磁弁が開くようにすれば良い。このようにすれば、開閉部材５，６が開いている状態で開口部１４からスケール除去剤を注いでしまうという不具合を防止することができる。逆に開閉部材５，６と開口部１４が閉じている状態で、水道水などの水を流入口３から金属イオン溶出ユニット１０（電極ケース１）内に流入させてしまうという不具合も防止することができる。
なお、開閉部材５，６と開口部１４との操作部を一箇所にし、その一箇所を操作することにより、開閉部材５，６が閉じれば開口部１４が開くといった構造を機械的に構築しても良い。
また、実施の形態１から７において、金属イオン溶出ユニットに開閉部材を取り付けているが、金属イオン溶出ユニットが機器に取り付けられて使用する場合、開閉部材を機器側の水管に設ける構造であっても良い。
【００６２】
（実施の形態８）
上述した実施の形態１〜７は、金属イオン溶出ユニットが機器内に組み込まれており、機器の分解が困難な場合の形態である。実施の形態８では、金属イオン溶出ユニットが機器から容易に取り外し可能な場合について述べる。図１３は、本発明の実施の形態８に係る金属イオン溶出ユニット１０の構成を示す縦断面図である。
【００６３】
図中１は、内部に金属電極２を収納する電極ケースである。電極ケース１の長さは金属電極２の長さより長い。金属電極２の一端には、電極間隔を一定に保つためのスペーサ２１が取り付けられており、金属電極２の他端は、金属電極２を電気的に制御する制御部２２に接続している。電極ケース１の長手方向の一端は制御部２２にて封止され、その他端は開放されて開口部２３となっている。この開口部２３を介して、液体を電極ケース１内に流入して液体貯留部２４に貯留させ、また、電極ケース１から液体を流出させるようになっている。
【００６４】
図１４は、図１３に示す金属イオン溶出ユニット１０を備えた機器としての殺菌水生成容器の一例を示す。図１４において、３１は液体（例えば、水）を貯留する貯留容器であり、貯留容器３１には中央部が開口している上蓋３２が被せられている。この上蓋３２に取外し可能な態様で、金属イオン溶出ユニット１０が取り付けられており、金属イオン溶出ユニット１０の開口部２３と貯留容器３１とが連通している。
【００６５】
貯留容器３１に貯留している液体は、開口部２３を介して金属イオン溶出ユニット１０（電極ケース１）内に流入し、金属電極２から溶出する金属イオンが付与される。この結果、金属イオンが付与された液体（例えば、銀イオンが付与された殺菌水）が得られて、開口部２３から貯留容器３１に排出される。
【００６６】
金属電極２に付着したスケールを洗浄によって除去する場合は、金属イオン溶出ユニット１０を殺菌水生成容器（上蓋３２）から取り外して、図１３のように開口部２３が上になるように設置し、開口部２３を介してスケール除去剤を液体貯留部２４に入れて貯留させる。電極ケース１の長さ（液体貯留部２４の深さ）が金属電極２の長さより長いため、金属電極２が完全にスケール除去剤に浸漬できるように、スケール除去剤を液体貯留部２４に貯留可能である。よって、金属電極２全体をきれいに洗浄できる。
【００６７】
図１４に示す機器では、殺菌水の生成が可能であり、しかもスケール除去も複雑な操作を必要とせずに簡単に行うことが可能である。
【００６８】
上述したような各実施の形態の金属イオン溶出ユニット１０を備えた機器は、スケールが付着しても薬剤（スケール除去剤）での除去が容易であるため、常に殺菌効果が高い殺菌水を生成することが可能である。このような機器の例として、例えば、衣類洗浄，食器洗浄などを行う家庭用の機器、プール，銭湯などの大型の設備に対応した殺菌水生成装置などが挙げられる。
【図面の簡単な説明】
【００６９】
【図１】実施の形態１に係る金属イオン溶出ユニットの構成を示す縦断面図である。
【図２】実施の形態１に係る金属イオン溶出ユニットの構成を示す横断面図である。
【図３】実施の形態２に係る金属イオン溶出ユニットの構成を示す縦断面図である。
【図４】実施の形態３に係る金属イオン溶出ユニットの構成を示す縦断面図である。
【図５】実施の形態４に係る金属イオン溶出ユニットの構成を示す縦断面図である。
【図６】実施の形態４に係る金属イオン溶出ユニットの変形例の構成を示す縦断面図である。
【図７】実施の形態５に係る金属イオン溶出ユニットの構成を示す縦断面図である。
【図８】実施の形態５に係る金属イオン溶出ユニットの変形例の構成を示す縦断面図である。
【図９】実施の形態６に係る金属イオン溶出ユニットの構成を示す縦断面図である。
【図１０】実施の形態６に係る金属イオン溶出ユニットの変形例の構成を示す縦断面図である。
【図１１】実施の形態７に係る金属イオン溶出ユニットの構成を示す縦断面図である。
【図１２】実施の形態７に係る金属イオン溶出ユニットの変形例の構成を示す縦断面図である。
【図１３】実施の形態８に係る金属イオン溶出ユニットの構成を示す縦断面図である。
【図１４】実施の形態８に係る金属イオン溶出ユニットを備えた機器としての殺菌水生成容器の一例を示す縦断面図である。
【符号の説明】
【００７０】
１  電極ケース（ケース）
２  金属電極
３  流入口
４  流出口
５  流入口開閉部材（流入口開閉手段）
６  流出口開閉部材（流出口開閉手段）
１０  金属イオン溶出ユニット
１１  カバー
１２  流入口開閉操作部（制御手段）
１３  流出口開閉操作部（制御手段）
１４  開口部
１５  蓋（開口部開閉手段）
２４  液体貯留部
【図１】
2006095497.tif 000003
【図２】
2006095497.tif 000004
【図３】
2006095497.tif 000005
【図４】
2006095497.tif 000006
【図５】
2006095497.tif 000007
【図６】
2006095497.tif 000008
【図７】
2006095497.tif 000009
【図８】
2006095497.tif 000010
【図９】
2006095497.tif 000011
【図１０】
2006095497.tif 000012
【図１１】
2006095497.tif 000013
【図１２】
2006095497.tif 000014
【図１３】
2006095497.tif 000015
【図１４】
2006095497.tif 000016